【手続補正書】
【提出日】平成19年1月22日(2007.1.22)
【手続補正１】
【補正対象書類名】明細書
【補正対象項目名】特許請求の範囲
【補正方法】変更
【補正の内容】
【特許請求の範囲】
【請求項１】波データを操作する方法において、
生物学的実体から反射された波データを受信し、
前記反射された波データを前記生物学的実体内の物質と相関関係付ける、
各ステップを含む方法。
【請求項２】前記波データは光波を含む請求項１に記載の方法。
【請求項３】前記生物学的実体が人間を含む請求項１に記載の方法。
【請求項４】前記生物学的実体が血液を含む請求項１に記載の方法。
【請求項５】前記物質が前記血液中のグルコース分子を含む請求項４に記載の方法。
【請求項６】前記受信された波データによりピクセルの行列を形成することをさらに含む請求項１に記載の方法。
【請求項７】前記行列の一部をマスクすることをさらに含む請求項６に記載の方法。
【請求項８】前記生物学的実体が虹彩及び瞳孔を有する眼を含み、
眼の瞳孔の周りの平均明るさを計算し、
瞳孔の周りの明るさを基本線として使用して虹彩をイコライズする、
各ステップをさらに含む請求項６に記載の方法。
【請求項９】ホットスポットを除去することをさらに含む請求項６に記載の方法。
【請求項１０】相関関係付けが、積分値を得るためにピクセルを積分することを含む請求項６に記載の方法。
【請求項１１】前記積分値をグルコース・レベルと一致させることをさらに含む請求項１０に記載の方法。
【請求項１２】前記一致は、ルックアップ・テーブルを使用することを含む請求項１１に記載の方法。
【請求項１３】前記ルックアップ・テーブルが生物学的実体に較正されている請求項１２に記載の方法。
【請求項１４】前記反射された波データを使用して緑内障圧力を決定することをさらに含む請求項１に記載の方法。
【請求項１５】前記反射された波データの振幅を計算し、
前記反射された波データの位相角を計算し、
前記振幅と位相角を使用して前記生物学的実体内のグルコース・レベルを識別する、
各ステップをさらに含む請求項１に記載の方法。
【請求項１６】前記受信された波データがピクセルを含んだ行列を形成する請求項１５に記載の方法。
【請求項１７】全ピクセルの和が前記振幅を含む請求項１６に記載の方法。
【請求項１８】前記位相角の計算が、
ｘＧＲＵ値を計算し、
ｙＧＲＵ値を計算し、
ｘＧＲＵとｙＧＲＵ値の比を計算する、
各ステップを含む請求項１６に記載の方法。
【請求項１９】自動レベル制御を実行することをさらに含む請求項１５に記載の方法。
【請求項２０】ピクセルの和から位相角を引算することを含む真の振幅を計算することをさらに含む請求項１５に記載の方法。
【請求項２１】自動精密同調を実行することをさらに含む請求項１５に記載の方法。
【請求項２２】コンピュータに取り付けられたモニター上にグルコース・レベルを表示することをさらに含む請求項１に記載の方法。
【請求項２３】コンピュータが、データ処理システム及び波反射捕獲システムを含む可搬性ユニットである請求項１に記載の方法。
【請求項２４】前記波反射捕獲システムがＣＣＤカメラである請求項２３に記載の方法。
【請求項２５】波反射捕獲システムがデジタル・カメラである請求項２３に記載の方法。
【請求項２６】コンピュータがネットワークの他のコンピュータに接続されている請求項１に記載の方法。
【請求項２７】前記反射された波データが前記コンピュータにより受信されて処理のために、前記ネットワーク内の別のコンピュータに転送される請求項２６に記載の方法。
【請求項２８】波データを操作するための装置において、
データ記憶装置及びモニターに接続されたコンピュータと、
前記コンピュータにより実行され、生物学的実体から反射された波データを受信し、そして前記反射された波データを前記生物学的実体内の物質と相関関係づける１つ以上のプログラムと、
を含む装置。
【請求項２９】前記波データは光波を含む請求項２８に記載の装置。
【請求項３０】前記生物学的実体が血液を含み、前記物質が前記血液中のグルコース分子を含む請求項２８に記載の装置。
【請求項３１】前記受信された波データによりピクセルの行列を形成することをさらに含む請求項２８に記載の装置。
【請求項３２】前記行列の一部をマスクすることをさらに含む請求項３１に記載の装置。
【請求項３３】前記生物学的実体が虹彩及び瞳孔を有する眼を含み、そして前記１以上のプログラムが、
前記眼の瞳孔の周りの平均明るさを計算し、
前記瞳孔の周りの明るさを基本線として使用して前記虹彩をイコライズする請求項３１に記載の装置。
【請求項３４】ホットスポットを除去することをさらに含む請求項３１に記載の装置。
【請求項３５】相関関係付けが、積分値を得るためにピクセルを積分することを含む請求項３１に記載の装置。
【請求項３６】前記積分値をグルコース・レベルと一致させることをさらに含む請求項３５に記載の装置。
【請求項３７】前記一致は、ルックアップ・テーブルを使用することを含む請求項３６に記載の装置。
【請求項３８】前記反射された波データを使用して緑内障圧力を決定することをさらに含む請求項２８に記載の装置。
【請求項３９】前記反射された波データの振幅を計算し、
前記反射された波データの位相角を計算し、
前記振幅と位相角を使用して前記生物学的実体内のグルコース・レベルを識別する請求項２８に記載の装置。
【請求項４０】自動レベル制御を実行することをさらに含む請求項３９に記載の装置。
【請求項４１】自動精密同調を実行することをさらに含む請求項３９に記載の装置。
【請求項４２】前記コンピュータに取り付けられたモニター上にグルコース・レベルを表示することをさらに含む請求項２８に記載の装置。
【請求項４３】前記コンピュータがネットワークの他のコンピュータに接続されて、前記反射された波データが前記コンピュータにより受信されて処理のために、前記ネットワーク内の別のコンピュータに転送される請求項２８に記載の装置。
【請求項４４】コンピュータにより読取り可能なコンピュータ・プログラムキャリアを含み、前記コンピュータ内で波データを操作するための方法のステップを実行するために前記コンピュータにより実行可能な１以上の命令を具体化した製品において、前記方法が、
生物学的実体から反射された波データを受信し、
前記反射された波データと前記生物学的実体内の物質とを相関関係付ける、
各ステップを含む製品。
【請求項４５】前記波データは光波を含む請求項４４に記載の製品。
【請求項４６】前記生物学的実体が血液を含み、前記物質が前記血液中のグルコース分子を含む請求項４４に記載の製品。
【請求項４７】前記受信された波データによりピクセルの行列を形成することをさらに含む請求項４４に記載の製品。
【請求項４８】前記行列の一部をマスクすることをさらに含む請求項４７に記載の製品。
【請求項４９】前記生物学的実体が虹彩及び瞳孔を有する眼を含み、そして、
前記眼の瞳孔の周りの平均明るさを計算し、
前記瞳孔の周りの明るさを基本線として使用して前記虹彩をイコライズする請求項４７に記載の製品。
【請求項５０】ホットスポットを除去することをさらに含む請求項４７に記載の製品。
【請求項５１】相関関係付けが、積分値を得るためにピクセルを積分することを含む請求項４７に記載の製品。
【請求項５２】前記積分値をグルコース・レベルと一致させることをさらに含む請求項５１に記載の製品。
【請求項５３】前記一致は、ルックアップ・テーブルを使用することを含む請求項５２に記載の製品。